(57)【特許請求の範囲】
【請求項１】
遮蔽部材を建物内に繰り出すと共に防火戸を閉めて前記建物内の空間を仕切ることによって前記建物内に複数の区画を形成する区画形成手段と、
避難通路にならない竪穴区画を形成する前記防火戸に設けられた避難手段であって、自動的に前記避難手段を閉鎖する自動閉鎖手段及び閉鎖時にラッチを掛けるラッチ手段を有し、前記竪穴区画から他の区画へ避難するためには、前記避難手段に設けられた引き手やドアノブを操作したり前記避難手段を押したりすることによって前記ラッチ手段を解除して前記避難手段を開放することによって行うように構成され、前記他の区画から前記竪穴区画へ進入するためには前記避難手段の周辺の前記他の区画部から見た見易い場所に配置されたラッチ解除手段を操作して前記ラッチ手段を解除してからでないと前記避難手段を開放することができないように構成され、前記ラッチ解除手段の操作によって前記ラッチ手段が解除された場合、前記自動閉鎖手段によって前記避難手段が自動的に閉鎖された後に前記ラッチ手段を復帰させるように構成された避難手段と
を備えたことを特徴とする区画形成装置。
【請求項２】
請求項１に記載の区画形成装置において、前記竪穴区画にはエレベータやエスカレータなどの竪穴設備を有することを特徴とする区画形成装置。
【請求項３】
請求項１又は２に記載の区画形成装置において、前記避難手段は、前記遮蔽部材の一部に設けられた避難ドアから構成され、前記避難ドアを開閉するための開閉手段として前記竪穴区画側にはドアノブが設けられており、前記他の区画側にはラッチ付きの引き手が設けられ、このラッチを前記ラッチ解除手段の操作によって解除することによって他の区画側から引き手を操作して前記避難ドアを開放できるように構成されていることを特徴とする区画形成装置。
【請求項４】
請求項２に記載の区画形成装置において、前記竪穴区画内にバンク型エレベータを含むことを特徴とする区画形成装置。
【請求項５】
請求項１、２、３又は４に記載の区画形成装置において、前記竪穴区画の両側に前記他の区画として通路が面していることを特徴とする区画形成装置。
【発明の詳細な説明】
【０００１】
【発明の属する技術分野】
本発明は、ビル等の建物内部で発生した火災の延焼や煙の拡散を防止するために建物内部の通路や開口部などの空間をスラット状の防火カーテンや可動パネルなどの遮蔽部材で仕切って区画を形成する区画形成装置に係り、特に区画内にエレベータ等の避難通路以外の竪穴を有する場合の区画形成装置に関する。
【０００２】
【従来の技術】
一般に、高層の建物などには、エレベータやエスカレータなどの竪穴が存在するので、火災発生時の延焼や煙の拡散を防止するために火災発生と同時に自動的に閉じるスラット状の防火カーテンや可動パネルなどの遮蔽部材を用いて、柱、壁、床などと共に３次元的に囲まれた空間、すなわち防火防煙区画を形成するように動作する区画形成装置が備え付けられている。
【０００３】
図１は、従来の区画形成装置の概略構成を示す図である。この区画形成装置では、竪穴となるエレベータ群１，２が対面するように設けられたバンク型エレベータの間にあるロビー１２をひとつの区画としている。このバンク型エレベータのロビー１２の周囲には、廊下３０〜３５を介して居室となる事務所区画２０〜２４が設けられている。なお、図では、避難経路となる竪穴を備えた階段区画については図示を省略してある。この区画形成装置に用いられている遮蔽装置は、防火カーテン装置１０，１１と、避難ドアを備えた防火戸１３，１４である。防火カーテン装置１０，１１は、基本的に建物上部の梁などに取り付けられたブラケット、このブラケットに回転自在に取り付けられた巻取シャフト、この巻き取りシャフトに巻回されるスラットカーテンなどから構成される。防火戸１３，１４は、常時閉鎖式又は常時開放式のものであり、その一部に避難用のドア（避難ドア）を備えている。
【０００４】
【発明が解決しようとする課題】
従来は、火災が発生すると、防火カーテン装置１０，１１は、煙感知器（又は熱感知器）からの信号に対応してスラットカーテンを自動的に下降させ、また防火戸１３，１４を閉鎖して、ロビー１２と廊下３０〜３３との間の開口部空間を閉鎖して竪穴区画を形成する。この竪穴区画であるロビー１２内に人が残されている場合には、防火戸１３，１４のいずれの避難ドアからも点線矢印１５，１６に示すように廊下３０〜３３に避難できるようになっている。従来の防火戸１３，１４の避難ドアは、ロビー１２側から廊下３０〜３３に避難できるし、逆に廊下３０〜３３側からロビー１２内に進入することも可能となっている。このことは、廊下３１側から防火戸１３の避難ドアを介してロビー１２に進入し、反対側の防火戸１４の避難ドアを介して廊下３２に避難するおそれ、すなわち、竪穴区画であるロビー１２が避難経路として利用されるおそれがあることを意味している。このような、より安全な区画である廊下から、それよりも安全度の劣る竪穴区画を一旦経由することは避難の観点からは好ましくない。
【０００５】
本発明の目的は、竪穴区画が避難経路として利用されるのを避けることができる区画を形成することのできる区画形成装置を提供することにある。
【０００６】
【課題を解決するための手段】
この発明に係る区画形成装置の第１の特徴は、遮蔽部材を建物内に繰り出して前記建物内の空間を仕切ることによって前記建物内に複数の区画を形成する区画形成手段と、
避難通路にならない竪穴区画を形成する遮蔽部材に設けられた自動閉鎖手段及びラッチ手段を有する避難手段であって、前記竪穴区画から他の区画へ進入するためには前記ラッチ手段を通常の操作で解除することによって前記避難手段を開放して行い、前記他の区画から前記竪穴区画へ進入するためには前記他の区画部の前記避難手段周辺に配置されたラッチ解除手段を操作することによって前記ラッチ手段を解除してからでないと前記避難手段を開放することができないように構成されており、前記ラッチ解除手段の操作によって前記ラッチ手段が解除された場合も前記自動閉鎖手段によって前記避難手段は自動的に閉鎖され、閉鎖後に前記ラッチ手段が復帰するように構成された避難手段とを備えたものである。
遮蔽部材は建物内に設けられ、火災発生時などに建物内部から繰り出されるものである。遮蔽部材が防火カーテン装置の場合には、建物上部に設けられ、まぐさなどの開口部から防火カーテンが下降してくる。これ以外にも防火のための遮蔽部材（防火戸など）が横引き方式で繰り出されたり、上昇方式で繰り出されたりする。区画形成装置は、このような遮蔽部材を建物内に繰り出すことによって、建物内部の空間を仕切り、所定の区画を形成している。通常は、このような防火カーテン装置や防火戸などの遮蔽部材には、避難手段として避難用ドアなどが設けられている。通常は、この避難手段を介して、竪穴区画から他の区画に進入することも逆に他の区画から竪穴区画内に進入することもできる。ところが、この発明では、避難手段を介して竪穴区画から他の区画に進入することは通常のドアを開放する動作によって容易に行なえるが、逆に他の区画から竪穴区画内に進入することはできないようになっている。なお、他の区画から竪穴区画への進入が全くできないのではなく、ある特殊な操作を行なうことよって可能となっている。例えば、避難ドアの竪穴区画側には通常のドアノブが設けられ、それを操作することによって容易にドアを開放できるようになっており、避難ドアの他の区画側にはそのドアノブが設けられておらず、ラッチ付きの引き手などが設けられ、そのラッチを他の部分に設けられたラッチ解除装置を操作することによって初めて引き手を操作することができ、避難ドアを開放できるようにする。このようにすることによって、竪穴区画が誤って避難経路として利用されるようなことがなくなる。また、他の区画から竪穴区画に進入する必要がある場合には、特殊な操作を行なうことよって進入することができる。この発明の区画形成装置は、高層の建物だけでなく、低層の建物や地下街などのような建物も対象とするものである。ここで、通常の操作とは、避難者が遮蔽部材を通過しようと意図した場合又は無意識に通過しようとした場合などに、比較的容易に目に付くような部材等を、特別な操作ではなくて比較的容易に行なえるような操作のことをいう。従って、このような操作は、竪穴区画や遮蔽部材の材質や構造、避難者の心理状態等を勘案してなるべく容易なものが好ましい。また、特殊な操作とは、通常の操作とは逆に、意識的または無意識的に避難者が遮蔽部材を通過しようとした場合には通過することが困難となるような操作のことをいう。少なくとも一つの遮蔽部材または竪穴区画に注目した場合には、通常の操作を行なった場合よりは通過がむずかしい操作であり、一般的にはその操作は複雑、煩雑であり、操作対象となる部材が目に付きにくい等であることが好ましい。なお、これらの操作に限定されるものではないことは言うまでもない。このように、特殊な操作で通過できるように構成した目的は、救助活動者が通過することができるようにするためであり、このような者にとっては、特殊な操作は容易であることが好ましい。このような特殊な操作の他の例として、暗証コード入力、指紋（声紋、網膜パターン等の）照合などを行なうようにしてもよい。なお、避難手段がマークや文言による表示や音声等により、脱出を促す告知や案内、進入を禁止する告知や救助活動者への案内等をあわせて行なうようにしてもよい。
【０００７】
この発明に係る区画形成装置の第２の特徴は、前記第１の特徴において、前記竪穴区画にはエレベータやエスカレータなどの竪穴設備を有するものである。これは、エレベータやエスカレータなどのように避難経路として利用することのできない竪穴設備を備えた区画が本発明の竪穴区画の対象となることを示している。
【０００８】
この発明に係る区画形成装置の第３の特徴は、前記第１又は第２の特徴において、前記避難手段は、前記遮蔽部材の一部に設けられた避難ドアから構成され、前記避難ドアを開閉するための開閉手段が前記竪穴区画側と前記他の区画側とで、それぞれ異なる構成をしているものである。これは、避難ドアの構成が竪穴区画側と他の区画側とでそれぞれ異なっているので、竪穴区画から他の区画に進入するときは通常の操作で可能となり、逆に他の区画から竪穴区画内に進入するためには特殊な操作を行なわなければできないようになっている。異なる構成の具体例としては、前述のようにドアノブ自体の形状を竪穴区画側と他の区画側で変えたり、同じドアノブであっても他の区画側には特殊な操作を行なわないと開放しないような機構、例えばラッチ解除機構などを設けたりすることで対応できる。
【０００９】
この発明に係る区画形成装置の第４の特徴は、前記第２の特徴において、前記竪穴区画内にバンク型エレベータを含むものである。これは、竪穴設備としてバンク型エレベータを備えた区画を本発明の竪穴区画の対象としているものである。従って、このバンク型エレベータのロビー部分は非常時に避難経路として利用されることがなくなる。
【００１０】
この発明に係る区画形成装置の第５の特徴は、前記第１、第２、第３又は第４の特徴において、前記竪穴区画の両側に前記他の区画として通路が面しているものである。竪穴区画が建物内で通路と通路との間に位置している場合、この竪穴区画があたかも通路同士の連絡路のような働きをすることがある。ところが非常時にはこの竪穴区画は安全性の観点からは、避難通路として利用されるのは好ましくないので、本発明を適用することによって、このような竪穴区画が避難通路として利用されることがないようにした。ここで、通路とは、廊下や物販店舗等と他の建物等との連絡路（例えば駅構内との）や地下街の通行路等のことである。
【００１１】
【発明の実施の形態】
以下、添付図面に従って本発明に係る区画形成装置の好ましい実施の形態について説明する。図２は、本発明に係る区画形成装置の概略構成を示す図であり、エレベータロビー付近を拡大して示したものである。図３は区画形成装置を構成する防火カーテン装置及び防火戸の構成を廊下側から見た図である。
【００１２】
この区画形成装置では、竪穴となるエレベータ群１，２が対面で設けられたバンク型エレベータを構成しており、バンク型エレベータのロビー１２がひとつの区画を形成している。このバンク型エレベータのロビー１２の周囲には、廊下３０〜３３を介して居室となる事務所区画が設けられている。なお、図２では、事務所区画及び階段区画については図示を省略してある。
【００１３】
この区画形成装置に用いられている遮蔽装置は、防火カーテン装置１０，１１と、避難ドアを備えた防火戸１７，１８である。防火カーテン装置１０，１１は、従来のものと同様に基本的に建物上部の梁などに取り付けられたブラケット、このブラケットに回転自在に取り付けられた巻取シャフト、この巻き取りシャフトに巻回されるスラットカーテンなどから構成される。防火戸１７，１８は、常時閉鎖式又は常時開放式のものであり、その一部に避難用のドア（避難ドア）を備えている。防火戸１７，１８の避難ドアは、ロビー１２側からは容易に開くことができるが、廊下３０〜３３側からは開き難くなっている。
【００１４】
図３に示すように、防火戸１８の避難ドア３６には、ラッチ機能のない引き手３７が設けられている。引き手３７のラッチ解除装置３８は、エレベータ１の収納側の壁の側面に設置されている。なお、ロビー１２側から避難ドアを見た場合には、引き手の代わりに避難者が容易に開けることのできる通常のドアノブが設けられたり、ラッチ等のみでドアを押すと開くような構造になっている。すなわち、避難ドア３６のロビー１２側にはだれでも容易にドアを開くことができるような構造の開閉装置が設けられ、一方、廊下３０〜３３側にはドアノブなどの通常だれでもドアの開閉装置であると認識できるようなものは設けずに、ラッチ解除装置３８などを操作しないと開くことのできないような特殊な操作を行なわなければならない開閉装置を設ける。また、引き手やノブなどの手かけ部分を設けてもよいが、手かけ部分だけを操作しても開かない構造とする必要がある。
【００１５】
火災発生時には、防火カーテン装置１０，１１は、煙感知器（又は熱感知器）からの信号に対応してスラットカーテンを自動的に下降させ、また防火戸１７，１８を閉鎖して、ロビー１２と廊下３０〜３３との間の開口部空間を閉鎖して竪穴区画を形成する。この竪穴区画であるロビー１２内に人が残されていた場合には、防火戸１７，１８のいずれかの避難ドアから点線矢印４０，４１に示すように廊下３０〜３３に避難できるようになっている。しかし、廊下３０〜３３側からロビー１２内に進入することはできないので、竪穴区画であるロビー１２が避難経路として利用できないようになっている。
【００１６】
万が一、ロビー１２に負傷者等や車椅子などで自力避難不可能な者が存在する場合には、廊下３０〜３３側からラッチ解除装置３８を操作して廊下３０〜３３側から避難ドア３６が開放するようになっている。ラッチ解除装置３８は、避難ドア３６の周辺の見易い場所に配置され、消防隊などの救助活動者が利用することで廊下３０〜３３側からの開放を可能としたものであり、例えば、電磁開放スイッチやワイヤー引き出し型などのものを用いるとよい。避難ドア３６は、自動閉鎖機構（トアクローザ等）を設置してあり、廊下３０〜３３側から開放した場合も自動的に閉鎖され、その後はラッチが復帰して廊下３０〜３３側からは容易に開放できないようになっている。ただし、ラッチ解除装置３８は、自動閉鎖機構が動作後であっても再使用できるものとし、消防隊等の救助活動を妨げないものとする。
【００１７】
図４及び図５は、この発明のに係る区画形成装置の別の実施の形態を示す図である。図４（ａ）は、竪穴としてエスカレータ５１の場合を示したものである。これは、図から明かなように、エスカレータ５１を取り囲むように防火カーテン装置５２及び防火戸５３，５４によって竪穴区画を形成し、防火戸５３，５４に前述のような避難ドアを設けたものである。
【００１８】
図４（ｂ）は、１台のエレベータ５５の前面に区画を形成する場合を示したものである。これは、図から明かなように、エレベータ５５のドアの前面を取り囲むように防火カーテン装置５６及び防火戸５７によって竪穴区画を形成し、防火戸５７に前述のような避難ドアを設けたものである。
【００１９】
図４（ｃ）は、複数台（２台）のエレベータ５８の前にロビー５９が存在し、そのロビー５９の一方が廊下６０等に面し、他方は壁６１などで閉鎖されている場合を示したものである。これは、図から明かなようにロビー５８と廊下６０との間の開口部空間を防火カーテン装置６２及び防火戸６３によって閉鎖して竪穴区画を形成し、防火戸６３に前述のような避難ドアを設けたものである。
【００２０】
図５は、複数台（３台）のエレベータ１の前にロビー６５が存在し、そのロビー６５の両方が廊下６６，６７等に面している場合を示したものである。これは、図から明かなように図２のエレベータ群２が省略されたものに該当し、ロビー６５と廊下６６，６７との間の開口部空間を防火カーテン装置１０，１１及び防火戸１７，１８によって閉鎖して竪穴区画を形成し、防火戸１７，１８に前述のような避難ドアを設けたものである。
【００２１】
以上のように、図４及び図５に示したものによれば、エタカレータを含む竪穴区画に居る者が、その避難ドアを介して安全な区画に避難することは容易であるが、その竪穴区画に避難者が誤って進入するのを避けることができる。なお、図４及び図５では、図示していないが、避難ドアには、図３に示したものと同様のラッチ機能のない引き手及びこの引き手のラッチを解除するラッチ解除装置などが設けられる。
【００２２】
上述の実施の形態では、防火カーテン装置としてが上方から下降方式で繰り出されるものについて説明したが、逆に上昇方式で繰り出されたりするものであっても同様に適用することができる。さらに、シャッター状の開閉部材が横引き方式で繰り出されたり、あるいは水平方式で繰り出されたりするものであっても同様に適用することができる。また、カーテン装置の材質は、竪穴区画を形成できるものであれば、どのようなものでもよい。具体的には、金属製、木製、プラスチック製、布製、これらの複合されたものなどで構成することができる。上述の実施の形態では、遮蔽部材として防火カーテン装置を例に説明したが、遮蔽部材が防火戸の場合、すなわち、防火カーテン装置１０及び／又は防火カーテン装置１１が防火戸である場合もある。例えば、図１で、防火カーテン装置１０及び防火戸１３が共に防火戸の場合もある。防火カーテン装置１０及び防火戸１３が共に防火戸の場合、両防火戸が避難手段を有していてもよいし、片方のみが避難手段を有していてもよい。なお、防火カーテン装置１０，１１が避難手段を有していてもよい。また、防火戸の存在は必須ではなく、何らかの避難手段が存在すればよい。遮蔽部材により竪穴区画が形成でき、避難手段を備えていればその構成は任意である。
【００２３】
【発明の効果】
以上説明したように本発明の区画形成装置によれば、竪穴区画が避難経路として利用されるのを避けることができる区画を形成することができるという効果がある。
【図面の簡単な説明】
【図１】  従来の区画形成装置の概略構成を示す図
【図２】  本発明に係る区画形成装置の概略構成を示す図であり、エレベータロビー付近を拡大して示した図。
【図３】  図３の区画形成装置を構成する防火カーテン装置及び防火戸の構成を廊下側から見た図
【図４】  この発明のに係る区画形成装置の別の実施の形態を示す図。
【図５】  この発明のに係る区画形成装置のさらに別の実施の形態を示す図。
【図１】
0003883870.tif 000002
【図２】
0003883870.tif 000003
【図３】
0003883870.tif 000004
【図４】
0003883870.tif 000005
【図５】
0003883870.tif 000006